(57)【要約】  画像表示部保護パネルユニット(10)が、電子機器(1) の画像表示部(3) の前方に配置されるガラス板を含む画像表示部用の保護パネル(11)と、前記保護パネル(11)の外縁部(11a) を取り囲む環状の弾性部材(12)とを備える。前記保護パネル(11)は、操作面としての表面(13)と、前記表面(13)に対向する裏面(14)と、前記表面(13)と前記裏面(14)とを接続する外周側面(15)とを含む。前記弾性部材(12)は、前記保護パネル(11)の前記外周側面(15)に化学結合により接合された内周接合部(20)を含む。
2012115140.tif 000002
【特許請求の範囲】
【請求項１】
電子機器の画像表示部の前方に配置されるガラス板を含む画像表示部用の保護パネルと、
前記保護パネルの外縁部を取り囲む環状の弾性部材と、を備え、
前記保護パネルは、操作面としての表面と、前記表面に対向する裏面と、前記表面と前記裏面とを接続する外周側面と、を含み、
前記弾性部材は、前記保護パネルの前記外周側面に化学結合により接合された内周接合部を含む画像表示部保護パネルユニット。
【請求項２】
請求項１に記載の画像表示部保護パネルユニットにおいて、前記弾性部材は、前記保護パネルをインサートして成形されたゴムを含む画像表示部保護パネルユニット。
【請求項３】
請求項１または２に記載の画像表示部保護パネルユニットにおいて、
前記弾性部材の外縁部を取り囲む環状の樹脂製の保持枠を備え、
前記弾性部材は、前記保持枠の内周に化学結合により接合された外周接合部を含む画像表示部保護パネルユニット。
【請求項４】
請求項３に記載の画像表示部保護パネルユニットにおいて、
前記弾性部材は、前記内周接合部と前記外周接合部とが形成された前部と、後部と、を含み、
前記後部は、前記保護パネルの裏面の外縁部に接合された第１後接合部と、前記保持枠の裏面の内縁部に接合された第２後接合部と、を含む画像表示部保護パネルユニット。
【請求項５】
請求項３または４に記載の画像表示部保護パネルユニットにおいて、前記弾性部材は、前記保護パネルおよび前記保持枠をインサートして成形されたゴムを含む画像表示部保護パネルユニット。
【請求項６】
請求項１または２に記載の画像表示部保護パネルユニットと、
前記画像表示部保護パネルユニットの前記保護パネルを保持する環状の樹脂製の保持枠と、を備え、
前記弾性部材は、前記保護パネルの前記外周側面に接合された内周接合部と、前記保持枠に弾性的に接触する環状の接触部と、を含む画像表示部保護パネル保持構造。
【請求項７】
請求項６に記載の画像表示部保護パネル保持構造において、
前記弾性部材は、前部と、後部と、外周側部と、を含み、
前記弾性部材の前記接触部は、前記弾性部材の前記後部に設けられた後接触部を含む画像表示部保護パネル保持構造。
【請求項８】
請求項７に記載の画像表示部保護パネル保持構造において、
前記弾性部材の前記接触部は、前記弾性部材の前記前部に設けられた前接触部を含む画像表示部保護パネル保持構造。
【請求項９】
請求項８に記載の画像表示部保護パネル保持構造において、
前記保持枠は、前記弾性部材の前記前接触部を弾性的に凹ませる環状の第１凸部と、前記弾性部材の前記後接触部を弾性的に凹ませる環状の第２凸部と、を含み、
前記第１凸部と前記第２凸部とが、前記弾性部材を弾性的に挟持している画像表示部保護パネル保持構造。
【請求項１０】
請求項３から５の何れか１項に記載の画像表示部保護パネルユニットと、
前記画像表示部保護パネルユニットの前記弾性部材の後方に配置された保持部材と、を備え、
前記弾性部材は、前記保持部材に弾性的に接触する接触部を含む画像表示部保護パネル保持構造。
【請求項１１】
請求項１０に記載の画像表示部保護パネル保持構造において、
前記弾性部材の後方へ突出する環状の延設凸部を含み、
前記接触部は、前記延設凸部に設けられている画像表示部保護パネル保持構造。
【請求項１２】
請求項１１に記載の画像表示部保護パネル保持構造において、
前記接触部は、前記延設凸部の後部に設けられた後接触部を含む画像表示部保護パネル保持構造。
【請求項１３】
請求項１２に記載の画像表示部保護パネル保持構造において、
前記接触部は、前記延設凸部の内周に設けられた内周接触部と、前記延設凸部の外周に設けられた外周接触部との少なくとも１つを含む画像表示部保護パネル保持構造。
【請求項１４】
請求項１または２に記載の画像表示部保護パネルユニットにおいて、
前記保護パネルは、前記保護パネルの前記外縁部に配置された非透明の環状の着色部と、前記着色部によって取り囲まれた透明部と、を含み、
前記弾性部材は、前記透明部を避けて前記着色部に化学結合により接合されている画像表示部保護パネルユニット。
【請求項１５】
請求項１，２または１４の何れか１項に記載の画像表示部保護パネルユニットにおいて、
前記弾性部材は、前記保護パネルの前記表面の前記外縁部を覆う前覆い部を含み、
前記前覆い部は、前記保護パネルの前記表面の外縁部に化学結合により接合された前接合部を含み、
前記前覆い部を通して、前記内周接合部を視認可能である画像表示部保護パネルユニット。
【発明の詳細な説明】
【技術分野】
【０００１】
本発明は、携帯電話、携帯情報端末（ＰＤＡ：Personal Digital Assistant）、タブレットパソコン等のモバイルコンピュータ、デジタルカメラ、ビデオカメラ、電子ブック、ゲーム機、カーナビゲーション等の、タッチパネル式の電子機器に用いられる画像表示部保護パネルユニット及び画像表示部保護パネル保持構造に関する。
【背景技術】
【０００２】
携帯電話、携帯情報端末、タブレットパソコン等のモバイルコンピュータ、デジタルカメラ、ビデオカメラ、電子ブック、ゲーム機、カーナビゲーション等の、タッチパネル式の電子機器は、表面のパネルをユーザが指でタッチすることにより操作される（たとえば、特許文献１参照）。
特許文献１の携帯用電子機器は、液晶表示装置と、液晶表示装置の前方に配置されユーザによる押操作が可能なタッチパネルと、を有している。タッチパネルは、例えば、タッチパネルの表面を構成する透明なパネルと、パネルによって保護された透明電極とを有している。このタッチパネルの周囲には、ゴム枠が嵌め込まれている。ゴム枠は、板金枠の内側に収容されている。板金枠は、ねじによって、筐体に固定されている。これにより、タッチパネルが筐体に固定されている。【０００３】
筐体の表面部（正面部）は、タッチパネルが露出するように枠形状に形成されている。この枠形状の内側の開口に、パネルの表面が露出しており、ユーザが指でパネルを押操作できるようになっている。パネルの表面の外周部分は、筐体の表面部に覆われており、これらパネルの表面の外周部分と、筐体の表面部との間に、防水用のパッキンが挟まれている。
【先行技術文献】
【特許文献】
【０００４】
【特許文献１】特許第３３４７００９号明細書
【発明の概要】
【発明が解決しようとする課題】
【０００５】
電子機器が、例えば携帯電話である場合、ユーザが持ち運んでいるときに、電子機器が誤って落下されるおそれがある。また、電子機器がカーナビゲーション装置である場合は、自動車のダッシュボード裏のステーなどに固定されるまでの搬送時に、電子機器が、誤って落下されるおそれがある。また、自動車の走行時には、電子機器に、常時、振動が加わる。【０００６】
すなわち、電子機器のタッチパネルの表面のパネルは、落下などに起因する側面からの衝撃が加わり易い傾向にあり、その上、ユーザからの繰り返しの押操作に耐える必要がある。このため、パネルを衝撃から確実に保護できる構成が求められている。
特に、パネルに高級感を持たせるなどの理由でパネルを強化ガラスなどのガラス製にした場合、ガラス製のパネルは、プラスチック製のパネルに比べて側面からの衝撃に弱いため、パネルを衝撃から確実に保護できる構成が求められている。【０００７】
そこで、特許文献１のように、パネルをゴム枠で囲い、その上、板金枠を介して筐体に保持する構成が考えられる。しかしながら、板金枠を用いるなど、パネルを保持するための構成が大がかりとなり、情報端末装置が大型化してしまう。また、板金枠が必須となり、部品点数が多くなってしまう。
また、筐体とパネルとの間から雨水などの水分が筐体内に進入すると、液晶表示装置が故障する原因となるので、筐体とパネルとの間を確実に防水できるようにする必要がある。特許文献１では、防水用のパッキンが設けられているが、パネルを取り囲むゴム枠とは別にさらにパッキンを設ける必要があり、部品点数が多くなってしまう。【０００８】
本発明の目的は、耐久性および耐衝撃性に優れ、且つ電子機器の構造を簡素化することができる画像表示部保護パネルユニット及び画像表示部保護パネル保持構造を提供することである。
【課題を解決するための手段】
【０００９】
前記目的を達成するため、請求項１の発明は、電子機器の画像表示部の前方に配置されるガラス板を含む画像表示部用の保護パネルと、前記保護パネルの外縁部を取り囲む環状の弾性部材と、を備え、前記保護パネルは、操作面としての表面と、前記表面に対向する裏面と、前記表面と前記裏面とを接続する外周側面と、を含み、前記弾性部材は、前記保護パネルの前記外周側面に化学結合により接合された内周接合部を含む画像表示部保護パネルユニットを提供する。【００１０】
また、請求項２のように、請求項１に記載の画像表示部保護パネルユニットにおいて、前記弾性部材は、前記保護パネルをインサートして成形されたゴムを含んでいてもよい。  また、請求項３のように、請求項１または２に記載の画像表示部保護パネルユニットにおいて、前記弾性部材の外縁部を取り囲む環状の樹脂製の保持枠を備え、前記弾性部材は、前記保持枠の内周に化学結合により接合された外周接合部を含んでいてもよい。【００１１】
また、請求項４のように、請求項３に記載の画像表示部保護パネルユニットにおいて、前記弾性部材は、前記内周接合部と前記外周接合部とが形成された前部と、後部と、を含み、前記後部は、前記保護パネルの裏面の外縁部に接合された第１後接合部と、前記保持枠の裏面の内縁部に接合された第２後接合部と、を含んでいてもよい。
また、請求項５のように、請求項３または４に記載の画像表示部保護パネルユニットにおいて、前記弾性部材は、前記保護パネルおよび前記保持枠をインサートして成形されたゴムを含んでいてもよい。【００１２】
また、請求項６の発明は、請求項１または２に記載の画像表示部保護パネルユニットと、前記画像表示部保護パネルユニットの前記保護パネルを保持する環状の樹脂製の保持枠と、を備え、前記弾性部材は、前記保護パネルの前記外周側面に接合された内周接合部と、前記保持枠に弾性的に接触する環状の接触部と、を含む画像表示部保護パネル保持構造を提供する。【００１３】
また、請求項７のように、請求項６に記載の画像表示部保護パネル保持構造において、前記弾性部材は、前部と、後部と、外周側部と、を含み、前記弾性部材の前記接触部は、前記弾性部材の前記後部に設けられた後接触部を含んでいてもよい。
また、請求項８のように、請求項７に記載の画像表示部保護パネル保持構造において、前記弾性部材の前記接触部は、前記弾性部材の前記前部に設けられた前接触部を含んでいてもよい。【００１４】
また、請求項９のように、請求項８に記載の画像表示部保護パネル保持構造において、前記保持枠は、前記弾性部材の前記前接触部を弾性的に凹ませる環状の第１凸部と、前記弾性部材の前記後接触部を弾性的に凹ませる環状の第２凸部と、を含み、前記第１凸部と前記第２凸部とが、前記弾性部材を弾性的に挟持していてもよい。
また、請求項１０の発明は、請求項３から５の何れか１項に記載の画像表示部保護パネルユニットと、前記画像表示部保護パネルユニットの前記弾性部材の後方に配置された保持部材と、を備え、前記弾性部材は、前記保持部材に弾性的に接触する接触部を含む画像表示部保護パネル保持構造を提供する。【００１５】
また、請求項１１のように、請求項１０に記載の画像表示部保護パネル保持構造において、前記弾性部材の後方へ突出する環状の延設凸部を含み、前記接触部は、前記延設凸部に設けられていてもよい。
また、請求項１２のように、請求項１１に記載の画像表示部保護パネル保持構造において、前記接触部は、前記延設凸部の後部に設けられた後接触部を含んでいてもよい。【００１６】
また、請求項１３のように、請求項１２に記載の画像表示部保護パネル保持構造において、前記接触部は、前記延設凸部の内周に設けられた内周接触部と、前記延設凸部の外周に設けられた外周接触部との少なくとも１つを含んでいてもよい。
また、請求項１４のように、請求項１または２に記載の画像表示部保護パネルユニットにおいて、前記保護パネルは、前記保護パネルの前記外縁部に配置された非透明の環状の着色部と、前記着色部によって取り囲まれた透明部と、を含み、前記弾性部材は、前記透明部を避けて前記着色部に化学結合により接合されていてもよい。【００１７】
また、請求項１５のように、請求項１，２または１４の何れか１項に記載の画像表示部保護パネルユニットにおいて、前記弾性部材は、前記保護パネルの前記表面の前記外縁部を覆う前覆い部を含み、前記前覆い部は、前記保護パネルの前記表面の外縁部に化学結合により接合された前接合部を含み、前記前覆い部を通して、前記内周接合部を視認可能であってもよい。
【発明の効果】
【００１８】
請求項１の発明の画像表示部保護パネルユニットによれば、弾性部材が、保護パネルの外周側面に化学結合により接合されているので、保護パネルと弾性部材との結合力を極めて高くできる。したがって、長期の使用で、ユーザが、保護パネルの操作面を繰り返し押圧操作した場合でも、保護パネルと弾性部材との離脱を確実に抑制できて耐久性に優れている。【００１９】
また、ユーザの不注意などによって電子機器が落下した場合でも、保護パネルの外周側面に伝わる衝撃を弾性部材によって確実に緩和できるので、比較的衝撃に弱い傾向にあるガラス板製の保護パネルの外周側面の損傷を確実に防止できて耐衝撃性に優れている。
さらに、保護パネルに弾性部材を接合により一体化した画像表示部保護パネルユニットを構成しているので、部品点数を少なくでき、これにより、電子機器の構造を簡素化することができる。【００２０】
請求項２の発明によれば、弾性部材が、保護パネルをインサートして成形されたゴムを含んでいる。例えば、予め金型内セットされた保護パネルの外周側面にプライマーを塗布した状態で、未硬化のゴム材料を射出することによって、保護パネルと弾性部材との両者を容易に且つ強く結合させて、両者を一体化することができる。したがって、ガラス板製であることから衝撃に弱い傾向にある保護パネルの外周側面を、衝撃から確実に保護できる。また、成形されたゴムが、保護パネルの外周側面と隙間無く接合するので、弾性部材（ゴム）と保護パネルとの間の防水性、防塵性を極めて高くすることができる。【００２１】
仮に、保護パネルと予め別体に形成されたゴム部材を保護パネルの外周側面に接着剤で取り付けるとすると、薄いゴム部材を薄い保護パネルに正確に位置合わせした状態で、接着剤をゴム部材や保護パネルに供給するという面倒な作業が必要である。これに対して、請求項２の発明によれば、予めプライマー処理された保護パネルを金型内にセットし、未硬化のゴム材料を金型内に射出するという簡易な方法でゴム（弾性部材）を成形できるので、量産性に優れている。【００２２】
請求項３の発明の画像表示部保護パネルユニットによれば、弾性部材が、ガラス板製の保護パネルの外周側面および樹脂製の保持枠の内周側面に化学結合により接合されているので、保護パネルと弾性部材との結合力を極めて高くできる。したがって、長期の使用で、ユーザが、保護パネルの操作面を繰り返し押圧操作した場合でも、保護パネルと弾性部材との離脱や弾性部材と保持枠との離脱を確実に抑制できて耐久性に優れている。【００２３】
また、ユーザの不注意などによって電子機器が落下した場合でも、保護パネルの外周側面に伝わる衝撃を保持枠を介して弾性部材によって確実に緩和できるので、比較的衝撃に弱い傾向にあるガラス板製の保護パネルの外周側面の損傷を確実に防止できて耐衝撃性に優れている。
さらに、保護パネルおよび保持枠に弾性部材を接合により一体化して画像表示部保護パネルユニットを構成しているので、部品点数を少なくでき、これにより、電子機器の構造を簡素化することができる。【００２４】
また、請求項４の発明によれば、弾性部材の前部が、内周接合部と外周接合部とを含み、弾性部材の後部が、保護パネルの裏面の外縁部に接合された第１後接合部と、保持枠の裏面の外縁部に接合された第２後接合部とを含むので、保護パネルおよび保持枠に対する弾性部材の結合力を非常に高くできる。したがって、耐久性、防水性、防塵性をより向上することができる。【００２５】
請求項５の発明によれば、弾性部材が、保護パネルおよび保持枠をインサートして成形されたゴムを含んでいる。例えば、予め金型内セットされた保護パネルの外周側面および保持枠の内周にプライマーを塗布した状態で、未硬化のゴム材料を射出することによって、弾性部材を保護パネルおよび保持枠の両者に容易に且つ強く結合させて、画像表示部保護パネルユニットとして一体化することができる。したがって、ガラス板製であることから衝撃に弱い傾向にある保護パネルの外周側面を、保持枠および弾性部材によって、衝撃から確実に保護できる。また、成形されたゴムが、保護パネルの外周側面および保持枠の内周に、隙間無く接合するので、保護パネルと保持枠との間の防水性、防塵性を極めて高くすることができる。【００２６】
請求項６の発明の画像表示部保護パネルの保持構造によれば、弾性部材が保護パネルの外周側面に化学結合により接合されているので、保護パネルと弾性部材との結合力を極めて高くできる。したがって、長期の使用で、ユーザが、保護パネルの操作面を繰り返し押圧操作した場合でも、保護パネルと弾性部材との離脱を確実に抑制できて耐久性に優れている。【００２７】
また、ユーザの不注意などによって電子機器が落下した場合でも、保護パネルの外周側面に伝わる衝撃を弾性部材によって確実に緩和できるので、比較的衝撃に弱い傾向にあるガラス板製の保護パネルの外周側面の損傷を確実に防止できて耐衝撃性に優れている。
さらに、保護パネルに弾性部材を接合により一体化しているので、画像表示部保護パネルユニットを１部品として取り扱うことができる。部品点数を少なくできるので、電子機器の構造を簡素化することができる。【００２８】
しかも、弾性部材が、保持枠に弾性的に接触しているので、保持枠によって弾性部材を介して保護パネルを確実に保持することができる。
請求項７の発明によれば、弾性部材の後部に設けられた後接触部が保持枠に接触しているので、保持枠によって弾性部材を介して保護パネルを安定して支持することができる。したがって、耐衝撃性およびシール性を向上することができる。【００２９】
請求項８の発明によれば、弾性部材が、前記後接触部に加えて、弾性部材の前部に設けられた前接触部でも保持枠に接触しているので、保持枠によって保護パネルをより安定して支持すことができる。したがって、耐衝撃性およびシール性をより向上することができる。
請求項９の発明によれば、保持枠の第１凸部と第２凸部とが、弾性部材を弾性的に凹ませつつ弾性部材を挟持しているので、保持枠によって弾性部材を介して保護パネルを格段に安定して支持できて耐衝撃性を格段に向上することができ、また、シール性を格段に向上することができる。【００３０】
請求項１０の発明によれば、保護パネル、弾性部材および保持枠を含む画像表示部保護パネルユニットを単一のユニットとして、電子機器の例えば本体となる保持部材に取り付けることが可能となる。そのユニットの取り付け時に、弾性部材を接触部で保持部材に弾性的に接触させて、画像表示部保護パネルユニットを電子機器に容易に組み付けることができる。【００３１】
請求項１１の発明によれば、画像表示部保護パネルユニットの取り付け時に、弾性部材を後方へ突出する延設凸部の接触部で保持部材に弾性的に接触させて、画像表示部保護パネルユニットを電子機器に容易に組み付けることができる。
請求項１２の発明によれば、弾性部材の延設凸部の後部に設けられた後接触部が、保持部材に弾性的に接触しているので、前方からの衝撃を緩和して、保護パネルを保護することができる。また、後接触部によって防水性、防塵性を向上することができる。【００３２】
請求項１３の発明によれば、弾性部材の延設凸部に内周接触部および外周接触部の少なくとも一方が設けられて、保持部材に弾性的に接触しているので、側方からの衝撃を緩和して、保護パネルを保護することができる。また、内周接触部および外周接触部の少なくとも一方と後接触部とによって複数段のシールを達成でき、防水性、防塵性を格段に向上することができる。【００３３】
請求項１４の発明によれば、覆い部に設けられた前接合部が、保護パネルに化学結合により接合されているので、弾性部材とパネルとの結合力をより高くできる。また、覆い部を通して内周接合部を視認可能となっているので、保護パネルの外縁部に、透明感および立体感を持たせることができる。その結果、保護パネルの見栄えを良くすることができる。【００３４】
請求項１５の発明によれば、電子機器における保護パネルの裏側の配線など、見栄えの観点からユーザに見えないようにすることが好ましい部分を、保護パネルの外縁部に設けられた着色部によって隠すことができる。これにより、電子機器の見栄えをより良くすることができる。また、弾性部材が透明部を避けて着色部に接合されているので、弾性部材が画像表示部の視認性を妨げることがない。
【図面の簡単な説明】
【００３５】
【図１Ａ】本発明の一実施形態にかかる画像表示部保護パネルユニットを含む電子機器の概略斜視図である。
【図１Ｂ】画像表示部保護パネルユニットの斜視図である。
【図２】図１ＡのＩＩ−ＩＩ線に沿う断面図であり、電子機器の内部の概略構成を示している。
【図３Ａ】電子機器の正面図であり、電子機器の上端部周辺を示している。
【図３Ｂ】電子機器の正面図であり、電子機器の下端部周辺を示している。
【図４Ａ】本発明の別の実施形態の画像表示部保護パネルユニットの主要部の断面図である。
【図４Ｂ】本発明のさらに別の実施形態の画像表示部保護パネルユニットの主要部の断面図である。
【図４Ｃ】本発明のさらに別の実施形態の画像表示部保護パネルユニットの主要部の断面図である。
【図４Ｄ】本発明のさらに別の実施形態の画像表示部保護パネルユニットの主要部の断面図である。
【図５Ａ】図４Ａの実施形態の画像表示部保護パネルユニットが適用された、本発明のさらに別の実施形態の画像表示部保護パネル保持構造の主要部の断面図である。
【図５Ｂ】図４Ａの実施形態の画像表示部保護パネルユニットが適用された、本発明のさらに別の実施形態の画像表示部保護パネル保持構造の主要部の断面図である。
【図５Ｃ】図４Ａの実施形態の画像表示部保護パネルユニットが適用された、本発明のさらに別の実施形態の画像表示部保護パネル保持構造の主要部の断面図である。
【図６Ａ】図４Ｂの実施形態の画像表示部保護パネルユニットが適用された、本発明のさらに別の実施形態の画像表示部保護パネル保持構造の主要部の断面図である。
【図６Ｂ】図４Ｂの実施形態の画像表示部保護パネルユニットが適用された、本発明のさらに別の実施形態の画像表示部保護パネル保持構造の主要部の断面図である。
【図６Ｃ】図４Ｂの実施形態の画像表示部保護パネルユニットが適用された、本発明のさらに別の実施形態の画像表示部保護パネル保持構造の主要部の断面図である。
【図７Ａ】図４Ｃの実施形態の画像表示部保護パネルユニットが適用された、本発明のさらに別の実施形態の画像表示部保護パネル保持構造の主要部の断面図である。
【図７Ｂ】図４Ｃの実施形態の画像表示部保護パネルユニットが適用された、本発明のさらに別の実施形態の画像表示部保護パネル保持構造の主要部の断面図である。
【図７Ｃ】図４Ｃの実施形態の画像表示部保護パネルユニットが適用された、本発明のさらに別の実施形態の画像表示部保護パネル保持構造の主要部の断面図である。
【図８Ａ】図４Ｄの実施形態の画像表示部保護パネルが適用された、本発明のさらに別の実施形態の画像表示部保護パネル保持構造の主要部の断面図である。
【図８Ｂ】図４Ｄの実施形態の画像表示部保護パネルユニットが適用された、本発明のさらに別の実施形態の画像表示部保護パネル保持構造の主要部の断面図である。
【図８Ｃ】図４Ｄの実施形態の画像表示部保護パネルユニットが適用された、本発明のさらに別の実施形態の画像表示部保護パネル保持構造の主要部の断面図である。
【図９Ａ】本発明のさらに別の実施形態の画像表示部保護パネルユニットの主要部の断面図である。
【図９Ｂ】図９Ａの画像表示部保護パネルユニットが適用された、一実施形態の画像表示部保護パネル保持構造の主要部の断面図である。
【図１０】本発明のさらに別の実施形態の画像表示部保護パネルユニットの主要部の断面図である。
【図１１Ａ】図１０の画像表示部保護パネルユニットが適用された、一実施形態の画像表示部保護パネル保持構造の主要部の断面図である。
【図１１Ｂ】図１０の画像表示部保護パネルユニットが適用された、別の画像表示部保護パネル保持構造の主要部の断面図である。
【図１１Ｃ】図１０の画像表示部保護パネルユニットが適用された、さらに別の画像表示部保護パネル保持構造の主要部の断面図である。
【図１２】本発明のさらに別の実施形態の画像表示部保護パネルユニットの主要部の断面図である。
【図１３Ａ】図１２の画像表示部保護パネルユニットが適用された、一実施形態の画像表示部保護パネル保持構造の主要部の断面図である。
【図１３Ｂ】図１２の画像表示部保護パネルユニットが適用された、別の画像表示部保護パネル保持構造の主要部の断面図である。
【図１３Ｃ】図１２の画像表示部保護パネルユニットが適用された、さらに別の画像表示部保護パネル保持構造の主要部の断面図である。
【図１４】本発明のさらに別の実施形態の画像表示部保護パネルユニットの主要部の断面図である。
【図１５Ａ】図１４の画像表示部保護パネルユニットが適用された、一実施形態の画像表示部保護パネル保持構造の主要部の断面図である。
【図１５Ｂ】図１４の画像表示部保護パネルユニットが適用された、別の画像表示部保護パネル保持構造の主要部の断面図である。
【図１５Ｃ】図１４の画像表示部保護パネルユニットが適用された、さらに別の画像表示部保護パネル保持構造の主要部の断面図である。
【図１５Ｄ】図１４の画像表示部保護パネルユニットが適用された、さらに別の画像表示部保護パネル保持構造の主要部の断面図である。
【発明を実施するための形態】
【００３６】
以下には、図面を参照して、この発明の実施形態について具体的に説明する。
図１Ａは、本発明の一実施形態にかかる画像表示部保護パネルユニット１０を有する電子機器１の全体構成を示す斜視図である。図１Ｂは、画像表示部保護パネルユニット１０の斜視図である。図２は、図１ＡのＩＩ−ＩＩ線に沿う断面図であり、電子機器１の内部の概略構成を示している。
【００３７】
図１Ａおよび図２を参照して、電子機器１は、例えば、スマートフォン（携帯電話）や、電子ブックなどの携帯式の情報端末装置であり、ユーザが手で持つことなどにより持ち運び可能である。電子機器１は、例えば、画面の大きさが数インチ〜十インチ程度の小型・中型の情報端末装置である。ユーザが画像表示部保護パネルユニット１０（以下では、単に、保護パネルユニット１０とも言う）の保護パネル１１を指で押操作することにより、電子機器１の表示内容が変化する。
【００３８】
電子機器１は、筐体（保持部材）としてのケース２と、ケース２に収容された画像表示部３と、画像表示部３の前方に配置されケース２に収容されたタッチパネル装置４と、を備えている。
なお、この実施形態では、電子機器１のタッチパネル装置４を正面に見た状態を基準として、上下、左右および前後の方向をいうものとする。より具体的には、図１Ａの上下、左右および前後の記載にしたがって、上下、左右および前後の方向をいうものとする。
【００３９】
保持部材としてのケース２は、たとえば、プラスチック製であり、前方に開放された箱形状に形成されている。ケース２は、左右対称な形状に形成されている。ケース２は、平板状の後壁５と、後壁５の周縁部から前方に立ち上がる四角環状の周側壁により構成された保持枠６とを備えている。保持枠６は、ケース２において、保護パネルユニット１０を保持する機能を果たす。保護パネルユニット１０と、これを保持する保持枠６とによって、画像表示部保護パネル保持構造Ｐが構成されている。
【００４０】
保持枠６は、前面６ａと、前面６ａに設けられた平坦な環状の座部７と、座部７を取り囲んで前方へ突出する環状凸部８と、内周側面６ｂとを備えている。
図２を参照して、画像表示部３は、後壁５の前方に配置されている。画像表示部３は、例えば、液晶表示パネルと、液晶表示パネルの後方から光を当てるためのバックライトとを含んでおり、種々の画面を表示する。画像表示部３は、有機ＥＬパネルであってもよく、その場合、バックライトを省略することができる。
【００４１】
画像表示部３は、保持枠６の内周側面６ｂによって取り囲まれている。画像表示部３は、図示しない接着剤や固定ねじなどを用いて、保持枠６の内周側面６ｂに固定されている。
タッチパネル装置４は、画像表示部３の前方に配置されている。タッチパネル装置４は、例えば静電容量式のタッチパネルであり、ユーザに押操作されたことに応じた電気信号を発生する。電子機器１は、ケース２内に収容された図示しない制御部を備えている。制御部は、上記電気信号に基づいて、画像表示部３の表示内容を変更する。タッチパネル装置４は、ケース２の前端部２ａ寄りに配置されている。タッチパネル装置４は、画像表示部３の前方に配置された透明電極９と、透明電極９の前方に配置された保護パネルユニット１０とを含んでいる。
【００４２】
透明電極９は、保護パネルユニット１０の保護パネル１１にユーザの指が触れたことに起因する静電容量の変化を検出する。透明電極９は、透明な（透光性を有する）材料を用いて形成されている。透明電極９は、保持枠６の内周側面６ｂによって取り囲まれており、図示しない接着剤や固定ねじなどを用いて、保持枠６の内周側面６ｂに固定されている。
【００４３】
保護パネルユニット１０は、透明電極９および画像表示部３を保護するために設けられている。また、保護パネルユニット１０は、ケース２の内部に雨水などの水分が浸入することを抑制するために設けられている。
保護パネルユニット１０は、保持部材としてのケース２の座部７によって受けられている。保護パネルユニット１０の保護パネル１１および透明電極９を通して、ユーザが画像表示部３を視認することが可能となっている。
【００４４】
図１Ｂを参照して、保護パネルユニット１０は、強化ガラスなどのガラス板を用いて形成された保護パネル１１と、保護パネル１１の外縁部１１ａに化学結合により接合されて一体化された弾性部材１２とを含んでいる。具体的には、弾性部材１２は、保護パネル１１をインサートして形成されたゴムにより構成されている。
画像表示部保護パネルユニット１０がケース２に組み付けられていない自由状態のとき、保護パネル１１の外郭１１１と、弾性部材１２の外郭１２１とは、相似な形状に形成されている。弾性部材１２を射出成形によって形成していることで、弾性部材１２の外郭１２１の形状を、精度よく、かつ、輪郭がはっきりした形状に形成できる。
【００４５】
図１Ａおよび図２を参照して、保護パネル１１は、上下に細長い略矩形の板状に形成されている。保護パネル１１は、ユーザの指によって押操作される操作面としての表面１３と、この表面１３に前後方向に対向する裏面１４と、表面１３と裏面１４との間を接続する外周側面１５とを有している。より具体的には、外周側面１５は、表面１３の外縁部１３ａと裏面１４の外縁部１４ａとの間を接続している。
【００４６】
保護パネル１１の裏面１４の外縁部１４ａは、保持枠６の前面６ａの座部７によって受けられている。また、保護パネル１１の外周側面１５は、保持枠６の環状凸部８によって取り囲まれている。
保護パネル１１は、光を透過可能な透明部１６と、透明部１６を取り囲むように保護パネル１１の外縁部１１ａに設けられた非透明の着色部１７とを含んでいる。透明部１６は、無色透明とされている。透明部１６は、たとえば、矩形状に形成されている。画像表示部３からの光は、透明電極９および透明部１６を介してユーザの目に届く。
【００４７】
着色部１７は、保護パネル１１の外縁部１１ａに配置されており、たとえば、黒色に着色されて光を透過不能となっている。着色部１７は、座部７や、透明電極９の外周部周辺の配線や、画像表示部３の外周部周辺の配線をユーザが視認できないようにする機能を果たしている。
弾性部材１２は、保護パネル１１の外周側面１５を保護することにより、保護パネル１１に作用する衝撃を緩和するようになっている。また、弾性部材１２は、環状に形成されており、保護パネル１１の外周側面１５を取り囲んでいる。弾性部材１２は、保護パネル１１の外周側面１５と、保持部材としてのケース２の保持枠６の内周側面９との間に配置されている。これにより、弾性部材１２は、保護パネル１１の外周側面１５とケース２の保持枠６の内周側面９との間から、雨水などの水分がケース２の内部に浸入することを抑制している。
【００４８】
弾性部材１２は、シリコーンゴムなどのゴム部材を用いて形成された、弾力性を有する部材である。弾性部材１２は、弾性部材１２は、保護パネル１１をインサートして形成されたゴムにより形成され、射出成形によって保護パネル１１の外縁部１１ａと接合されて一体化されている。すなわち、金型内に、保護パネル１１をインサートした状態で、金型の内部のキャビティに溶融したゴム材料を注入し、このゴム材料を冷却することにより、弾性部材１２が形成されている。
【００４９】
図２を参照して、弾性部材１２は、保護パネル１１の外周側面１５に加硫接着により接合されて固定された環状の内周接合部２０と、保護パネル１１の表面１３の外縁部１３ａを覆う環状の前覆い部２１とを有している。前覆い部２１は、保護パネル１１の表面１３の外縁部１３ａに接合されて固定された環状の前接合部２１ａを備えている。
また、弾性部材１２は、保持枠６の座部７に弾性的に接触し座部７によって受けられた環状の後接触部２２と、保持枠６の環状凸部８の内周側面８ａに弾性的に接触する環状の外周接触部２３とを備えている。
【００５０】
内周接合部２０および前接合部２１ａは、保護パネル１１の着色部１７に固定（接合）されている。すなわち、内周接合部２０および前接合部２１ａは、保護パネル１１にプライマーを介して化学結合されている。すなわち、弾性部材１２を保護パネル１１に固定するための接着剤が別途設けられている構成ではない。
内周接合部２０は、保護パネル１１の周方向に関して、保護パネル１１の外周側面１５の全域に亘って接合している。また、内周接合部２０は、前後方向に関して、保護パネル１１の外周側面１５の全域に亘って接合している。
【００５１】
前接合部２１ａは、保護パネル１１の表面１３の外縁部１３ａに配置されており、保護パネル１１の周方向に関して、保護パネル１１の全域に亘って延びている。
外周接触部２３は、保護パネル１１の外周側面１５の周方向の全域に亘って、ケース２の保持枠６の環状凸部８の内周側面８ａを弾性的に押圧しており、内周側面８ａに液密的に接触している。これにより、弾性部材１２は、保持枠６と保護パネル１１との間で弾性的に圧縮（弾性変形）されている。この弾性変形による弾性反発力によって、保護パネル１１が保持枠６の環状凸部８の内周側面８ａに固定されている。なお、保護パネル１１の裏面１４に接着剤を塗布し、この接着剤によって、保護パネル１１と、ケース２の座部７とを固定してもよい。
【００５２】
環状の前覆い部２１は、正面視において、保護パネル１１の表面１３の外縁部１３ａの一部を覆っている。前覆い部２１は、保護パネル１１の周方向に関して、保護パネル１１の全域に亘って延びている。前覆い部２１は、たとえば数百μｍ程度の厚みを有しており、半透明に形成されている。
図３Ａは、電子機器１の正面図であり、電子機器１の上端部周辺を示している。図３Ａを参照して、前覆い部２１が半透明に形成されていることにより、電子機器１を正面視したユーザは、前覆い部２１を通して内周接合部２０を視認できるようになっている。
【００５３】
保持枠６の環状凸部８の内周側面８ａは、左右方向に真っ直ぐに延びる直線部３１と、直線部３１の途中部に設けられ下側に向けて凸となる湾曲状部３２とを有している。また、保護パネル１１の外周側面１５は、左右方向に真っ直ぐに延びる直線部４１と、直線部４１の途中部に設けられ下側に向けて窪む湾曲状部４２とを有している。
直線部３１，４１は、互いに一定の間隔をあけて平行に向かい合っている。湾曲状部３２，４２は、湾曲状に形成されており、互いに一定の間隔をあけて向かい合っている。弾性部材１２は、直線部３１，４１間に配置された直線部５１と、湾曲状部３２および湾曲状部４２間に配置された湾曲状部５２と、を有している。
【００５４】
保持枠６の湾曲状部３２の左端部と直線部３１との境界部３３、および湾曲状部３２の右端部と直線部３１との境界部３４は、尖った形状に形成されている。同様に、保護パネル１１の湾曲状部４２の左端部と直線部４１との境界部４３、および湾曲状部４２の右端部と直線部４１との境界部４４は、尖った形状に形成されている。
弾性部材１２が金型を用いた射出成形によって保護パネル１１に一体化されている結果、弾性部材１２の内周接合部２０は、境界部４３，４４という尖った部分に対して全面に亘って面接触している。また、弾性部材１２の内周接合部２０は、湾曲状部４２という湾曲状の部分に対して全面に亘って面接触している。これにより、保護パネル１１と弾性片部１２との強固な結合が達成されている。
【００５５】
さらに、弾性部材１２を射出成形によって保護パネル１１に一体化している結果、弾性部材１２のうち、保持枠６の境界部３３，３４という尖った部分に当接する部分を、これら境界部３３，３４の形状に沿った尖った形状に高い寸法精度で形成できる。また、弾性部材１２のうち、保持枠６の湾曲状部３２に当接する湾曲状部５２を、この湾曲状部３２の形状に沿った湾曲状に形成できる。
【００５６】
その結果、弾性部材１２が、湾曲状部３２および境界部３３，３４に液密的に接触するために弾性変形しなければならない量と、直線部３１に液密的に接触するために弾性変形しなければならない量とを略同じにできる。
以上の構成により、画像表示部保護パネルユニット１０を保持枠６内に配置したときに、弾性部材１２の各部の弾性圧縮量が不均一になることを抑制できる。これにより、弾性部材１２の外周接触部２３が保持枠６の環状凸部８の内周側面８ａと接触することにより生じるシール効果を、保護パネル１１の外周側面１５の周方向の各部において、より均一にできる。
【００５７】
図３Ｂは、電子機器１の正面図であり、電子機器１の下端部周辺を示している。図３Ｂを参照して、保持枠６の環状凸部８の内周側面８ａは、左右方向に真っ直ぐに延びる直線部３５と、直線部３５の右端部に設けられ下側に向けて窪む凹状部３６とを有している。また、保護パネル１１の側面１５は、左右方向に真っ直ぐに延びる直線部４５と、直線部４５の右端部に設けられ下側に向けて凸となる凸状部４６とを有している。
【００５８】
直線部３５，４５は、互いに一定の間隔をあけて平行に向かい合っている。同様に、凹状部３６および凸状部４６は、互いに一定の間隔をあけて向かい合っている。弾性部材１２は、直線部３５，４５間に配置された直線部５５と、凹状部３６および凸状部４６間に配置された凸状部５６と、を有している。
保持枠６の凹状部３６の角部３７，３８，３９は、略直角に尖った形状に形成されている。同様に、保護パネル１１の角部４７，４８，４９は、略直角に尖った形状に形成されている。
【００５９】
弾性部材１２が射出成形によって保護パネル１１に一体化されている結果、弾性部材１２の内周接合部２０は、保護パネル１１の角部４７，４８，４９という尖った部分に対して、全面に亘って面接触している。これにより、保護パネル１１と弾性部材１２との強固な結合が達成されている。
さらに、弾性部材１２を射出成形によって保護パネル１１に一体化している結果、弾性部材１２のうち、保持枠６の角部３７，３８，３９という尖った部分に当接する部分を、これら尖った部分の形状に沿った尖った形状に高い寸法精度で形成できる。これにより、弾性部材１２は、凹状部３６に液密的に接触するために弾性変形しなければならない量と、直線部３５に液密的に接触するために弾性変形しなければならない量とを略同じにできる。
【００６０】
以上の構成により、画像表示部保護パネルユニット１０を保持枠６内に配置したときに、弾性部材１２の各部の弾性圧縮量が不均一になることを抑制できる。これにより、弾性部材１２の外周接触部２３が保持枠６の環状凸部８の内周側面８ａと接触することにより生じるシール効果を、保護パネル１１の外周側面１５の周方向の各部において、より均一にできる。
【００６１】
本実施形態によれば、弾性部材１２が、保護パネル１１の外周側面１５に化学結合により接合されているので、保護パネル１１と弾性部材１２との結合力を極めて高くできる。したがって、長期の使用で、ユーザが、保護パネル１１の操作面としての表面１３を繰り返し押圧操作した場合でも、保護パネル１１と弾性部材１２との離脱を確実に抑制できて耐久性に優れている。
【００６２】
また、ユーザの不注意などによって電子機器１が落下した場合でも、保護パネル１１の外周側面１５に伝わる衝撃を弾性部材１２によって確実に緩和できるので、比較的衝撃に弱い傾向にあるガラス板製の保護パネル１１の外周側面１５の損傷を確実に防止できて耐衝撃性に優れている。
さらに、保護パネル１１に弾性部材１２を接合により一体化した画像表示部保護パネルユニット１０を構成しているので、部品点数を少なくでき、これにより、電子機器１の構造を簡素化することができる。
【００６３】
また、弾性部材１２が、保護パネル１１をインサートして成形されたゴムを含んでいる。すなわち、予め金型内セットされた保護パネル１１の外周側面１５にプライマーを塗布した状態で、未硬化のゴム材料を射出することによって、保護パネル１１と弾性部材１２との両者を容易に且つ強く結合させて、両者を一体化することができる。したがって、ガラス板製であることから衝撃に弱い傾向にある保護パネル１１の外周側面１５を、衝撃から確実に保護できる。また、成形されたゴムが、保護パネル１１の外周側面１５と隙間無く接合するので、弾性部材１２（ゴム）と保護パネル１１との間の防水性、防塵性を極めて高くすることができる。
【００６４】
仮に、保護パネルと予め別体に形成されたゴム部材を保護パネルの外周側面に接着剤で取り付けるとすると、薄いゴム部材を薄い保護パネルに正確に位置合わせした状態で、接着剤をゴム部材や保護パネルに供給するという面倒な作業が必要である。これに対して、本実施形態によれば、予めプライマー処理された保護パネルを金型内にセットし、未硬化のゴム材料を金型内に射出するという簡易な方法でゴム（弾性部材１２）を成形できるので、量産性に優れている。
【００６５】
また、弾性部材１２自身が、上記した衝撃吸収効果に加え、防水・防塵効果を有しているので、別途防水のための専用のパッキンが必要なく、部品点数を極めて少なくできる上、保護パネル１１とケース２の保持枠６との間の防水・防塵性能を高くできる。
また、保護パネル１１の外縁部１１ａに着色部１７が設けられている。これにより、保護パネル１１の裏側の配線など、見栄えの観点からユーザに見えないようにすることが好ましい部分を、着色部１７によって隠すことができる。これにより、電子機器１の見栄えをよりよくできる。また、着色部１７に弾性部材１２が一体化されており、透明部１６には弾性部材が配置されないようになっている。これにより、弾性部材１２が、画像表示部３の画面表示を隠すことを抑制でき、ユーザに対して、画像表示部３をより見易くすることができる。
【００６６】
保護パネル１１の側面１５に弾性部材１２が射出成形によって一体化されることで見栄えが向上していることと、着色部１７を設けたことによる見栄えの向上とが相俟って、電子機器１の見栄えを、よりよくすることができる。
また、保護パネル１１の表面１３の外縁部１３ａを覆う前覆い部２１が、前接合部２１ａを介して保護パネル１１に接合されていることにより、弾性部材１２と保護パネル１１との結合力をより高くできる。また、前覆い部２１を通して、内周接合部２０を視認可能となっている。これにより、保護パネル１１の外縁部１１ａに、透明感および立体感を持たせることができ、その結果、画像表示部保護パネルユニット１０の見栄えをよりよくすることができる。以上より、前覆い部２１を設けることで、弾性部材１２と保護パネル１１との接合強度の向上と、見栄えの向上という、相乗効果を発揮できる。
【００６７】
次いで、図４Ａ、図４Ｂ、図４Ｃ、図４Ｄは、それぞれ、本発明の別の実施形態の画像表示部保護パネルユニットを示している。
図４Ａに示す画像表示部保護パネルユニット１０Ａが、図２の実施形態の画像表示部保護パネルユニット１０と異なるのは、下記である。すなわち、画像表示部保護パネルユニット１０Ａの弾性部材１２Ａが、前覆い部２１に加えて、保護パネル１１の裏面１４の外縁部１４ａの一部を覆う後覆い部２４を備えている。その後覆い部２４は、外縁部１４ａに化学結合により接合された後接合部２４ａを有している。本実施形態によれば、保護パネル１１と弾性部材１２Ａとの結合力をより高めることができる。
【００６８】
また、図４Ｂに示す画像表示部保護パネルユニット１０Ｂが、図４Ａの実施形態の画像表示部保護パネルユニット１０Ａと異なるのは、下記である。すなわち、画像表示部保護パネルユニット１０Ｂの弾性部材１２Ｂが、保護パネル１１の外周側面１５にのみ接合されている。本実施形態によれば、画像表示部保護パネルユニット１０Ｂの前後方向の厚みを薄くすることができ、電子機器１の小型化を図ることができる。
【００６９】
また、図４Ｃに示す画像表示部保護パネルユニット１０Ｃが、図４Ａの実施形態の画像表示部保護パネルユニット１０Ａと異なるのは、下記である。すなわち、画像表示部保護パネルユニット１０Ｃの弾性部材１２Ｃの断面（外周側面１５と直交し、かつ、保護パネル１１と平行な断面）の外形形状が、楕円形状や、偏平な丸形形状に形成されている。本実施形態によれば、弾性部材１２Ｃの厚みを保護パネル１１の前後に突出するように適度に厚くしているので、弾性部材１２Ｃを適度に圧縮する保持枠に好適に組み合わせることができる。
【００７０】
また、図４Ｄに示す画像表示部保護パネルユニット１０Ｄが、図４Ｃの実施形態の画像表示部保護パネルユニット１０Ｃと異なるのは、下記である。すなわち、画像表示部保護パネルユニット１０Ｄの弾性部材１２Ｄの断面（図４Ｃと同様の断面）の外形形状が、略矩形状に形成されている。本実施形態によれば、弾性部材１２Ｄの厚みを保護パネル１１の前後に突出するように適度に厚くしているので、弾性部材１２Ｄを適度に圧縮する保持枠に好適に組み合わせることができる。
【００７１】
次いで、図５Ａ、図５Ｂおよび図５Ｃは、それぞれ、図４Ａの画像表示部保護パネルユニット１０Ａを用いた画像表示部保護パネル保持構造を示している。
図５Ａの実施形態の画像表示部保護パネル保持構造Ｐ１は、保護パネル１１および弾性部材１２Ａを有する画像表示部保護パネルユニット１０Ａと、これを保持する保持枠６０とを備えている。図２の実施形態では、保護パネル１１の裏面１４の外縁部１４ａと保持枠６の座部７とが接触していたが、本実施の形態では、保護パネル１１の裏面１４の外縁部１４ａと保持枠６０の座部７との間に微小な隙間Ｓが形成されている。弾性部材１２Ａは、前部１２Ａ１と、後部１２Ａ２と、外周側部１２Ａ３とを有しており、後部１２Ａ２は、座部７に弾性的に接触する後接触部２２を有している。外周側部１２Ａ３は、保持枠６０の環状凸部８の内周８ａに弾性的に接触する外周接触部２３を有している。
【００７２】
保持枠６０は図２の実施形態の保持枠６と同じく、ケース２と単一の部材で一体に形成されていてもよいし、また、ケース２と別体に形成されて、ケース２に固定されるものであってもよい。本実施形態の構成要素において、図２の実施形態の構成要素と同じ構成要素には、図２の実施形態の構成要素の参照符号と同じ参照符号を付してある。
次いで、図５Ｂの実施形態の画像表示部保護パネル保持構造Ｐ２は、保護パネル１１および弾性部材１２Ａを有する画像表示部保護パネルユニット１０Ａと、これを保持する第１保持枠６１と、第１保持枠６１に固定された第２保持枠６２とを備えている。両保持枠６１，６２は、例えばねじ止めにより互いに固定されている。第１保持枠６１は、四角環状の周側壁６３と、周側壁６３の前端から内側方へ延びる環状の前壁６４とを備えている。前壁６４は、後方へ突出する環状の第１凸部６５を有している。第１凸部６５は、断面台形形状をなしている。
【００７３】
第２保持枠６２は、第１保持枠６１の周側壁６３の内周に沿う四角環状の周側壁６６と、周側壁６６の前端から内側方へ延び、第１保持枠６１の前壁６４と前後に対向する環状の前壁６７とを備えている。前壁６７は、前方へ突出する環状の第２凸部６８を有している。第２凸部６８は、断面台形形状をなしている。
第１凸部６５と第２凸部６８とは、前後に対向し、弾性部材１２Ａを前後に挟持している。弾性部材１２Ａの前部１２Ａ１は、弾性部材１２Ａの前方に配置された第１保持枠６１の前壁６４に弾性的に接触する前接触部９１ａを備えている。弾性部材１２Ａの後部１２Ａ２は、弾性部材１２Ａの後方に配置された第２保持枠６２の前壁６７に弾性的に接触する後接触部９２ａを備えている。前接触部９１ａは、前壁６４の第１凸部６５によって弾性的に凹まされており、後接触部９２ａは、前壁６７の第２凸部６８によって弾性的に凹まされている。本実施形態の構成要素において、図２の実施形態の構成要素と同じ構成要素には、図２の実施形態の構成要素の参照符号と同じ参照符号を付してある。
【００７４】
本実施形態によれば、第１保持枠６１の第１凸部６５と第２保持枠６２の第２凸部６８とが、弾性部材１２Ａを弾性的に凹ませつつ弾性部材１２Ａを挟持しているので、両保持枠６１，６２によって弾性部材１２Ａを介して保護パネル１１を格段に安定して支持できて耐衝撃性を格段に向上することができ、また、シール性を格段に向上することができる。
【００７５】
本実施形態において、両保持枠６１，６２は、図２の実施形態の保持枠６と同じく、ケース２と単一の部材で一体に形成されていてもよいし、また、ケース２と別体に形成されて、ケース２に固定されるものであってもよい。後者の場合、保護パネル１１と弾性部材１２Ａと両保持枠６１，６２とを含む画像表示部保護パネルユニットが形成されることになる。
【００７６】
次いで、図５Ｃの実施形態の画像表示部保護パネル保持構造Ｐ３は、保護パネル１１および弾性部材１２Ａを有する画像表示部保護パネルユニット１０Ａと、これを保持する保持枠６９とを備えている。保持枠６９は、四角環状の周側壁７０と、周側壁７０の前端から内側方へ延びる環状の前壁７１と、周側壁７０の後端から内側方へ延びる環状の後壁７２とを備えている。前壁７１は後方へ突出する第１凸部７３を有し、後壁７２は前方へ突出する第２凸部７４を有している。
【００７７】
第１凸部７３と第２凸部７４とは、前後に対向し、弾性部材１２Ａを前後に挟持している。弾性部材１２Ａの前部１２Ａ１は、前壁７１に接触する前接触部９１ａを備えている。弾性部材１２Ａの後部１２Ａ２は、後壁７２に接触する後接触部９２ａを備えている。前接触部９１ａは、第１凸部７３によって弾性的に凹まされており、後接触部９２ａは、第２凸部７４によって弾性的に凹まされている。本実施形態の構成要素において、図２の実施形態の構成要素と同じ構成要素には、図２の実施形態の構成要素の参照符号と同じ参照符号を付してある。
【００７８】
本実施形態によれば、保持枠６９の第１凸部７３と第２凸部７４とが、弾性部材１２Ａを弾性的に凹ませつつ弾性部材１２Ａを挟持しているので、保持枠６９によって弾性部材１２Ａを介して保護パネル１１を格段に安定して支持できて耐衝撃性を格段に向上することができ、また、シール性を格段に向上することができる。
本実施形態において、保持枠６９は、図２の実施形態の保持枠６と同じく、ケース２と単一の部材で一体に形成されていてもよいし、また、ケース２と別体に形成されて、ケース２に固定されるものであってもよい。後者の場合、保護パネル１１と弾性部材１２Ａと保持枠６９とを含む画像表示部保護パネルユニットが形成されることになる。
【００７９】
次いで、図６Ａ、図６Ｂおよび図６Ｃは、それぞれ、図４Ｂの画像表示部保護パネルユニット１０Ｂを用いた画像表示部保護パネル保持構造を示している。
図６Ａの実施形態の画像表示部保護パネル保持構造Ｐ４は、保護パネル１１および弾性部材１２Ｂを有する画像表示部保護パネルユニット１０Ｂと、これを保持する保持枠６０とを備えている。本実施形態が図２の実施形態と異なるのは、図２の実施形態の弾性部材１２に代えて、弾性部材１２Ｂを用い、図２の実施形態の保持枠６に代えて保持枠６０を用いた点のみである。弾性部材１２Ｂの後部１２Ｂ２に、後接触部２２が設けられ、弾性部材１２Ｂの外周側部１２Ｂ３に、外周接触部２３が設けられている。本実施形態の構成要素において、図２の実施形態の構成要素と同じ構成要素には、図２の実施形態の構成要素の参照符号と同じ参照符号を付してある。
【００８０】
次いで、図６Ｂの実施形態の画像表示部保護パネル保持構造Ｐ５は、保護パネル１１および弾性部材１２Ｂを有する画像表示部保護パネルユニット１０Ｂと、これを保持する第１保持枠６１と、第１保持枠６１に固定された第２保持枠６２Ａとを備えている。第１保持枠６１は図５Ｂの第１保持枠６１と同じである。第２保持枠６２Ａが、図５Ｂの第２保持枠６２と異なるのは、前壁６７Ａが、環状の第２凸部６８よりも径方向内方で、保護パネル１１の裏面１４の外縁部１４ａを受ける環状の座部６７１を設けている点である。
【００８１】
弾性部材１２Ｂの前部１２Ｂ１は、弾性部材１２Ｂの前方に配置された第１保持枠６１の前壁６４に接触する前接触部９１ｂを備えている。弾性部材１２Ｂの後部１２Ｂ２は、弾性部材１２Ｂの後方に配置された第２保持枠６２Ａの前壁６７Ａに接触する後接触部９２ｂを備えている。前接触部９１ｂは、前壁６４の第１凸部６５によって弾性的に凹まされており、後接触部９２ｂは、前壁６７Ａの第２凸部６８によって弾性的に凹まされている。本実施形態の構成要素において、図２、図５Ｂの実施形態の構成要素と同じ構成要素には、図２、図５Ｂの実施形態の構成要素の参照符号と同じ参照符号を付してある。
【００８２】
本実施形態によれば、第１凸部６５と第２凸部６８とが、弾性部材１２Ｂを弾性的に凹ませつつ弾性部材１２Ｂを挟持しているので、両保持枠６１，６２Ａによって弾性部材１２Ｂを介して保護パネル１１を格段に安定して支持できて耐衝撃性を格段に向上することができ、また、シール性を格段に向上することができる。
本実施形態において、両保持枠６１，６２Ａは、図２の実施形態の保持枠６と同じく、ケース２と単一の部材で一体に形成されていてもよいし、また、ケース２と別体に形成されて、ケース２に固定されるものであってもよい。後者の場合、保護パネル１１と弾性部材１２Ｂと両保持枠６１，６２Ａとを含む画像表示部保護パネルユニットが形成されることになる。
【００８３】
次いで、図６Ｃの実施形態の画像表示部保護パネル保持構造Ｐ６は、保護パネル１１および弾性部材１２Ｂを有する画像表示部保護パネルユニット１０Ｂと、これを保持する図５Ｃの実施形態の保持枠６９に類似する構成の保持枠６９Ａとを備えている。本実施形態の保持枠６９Ａが、図５Ｃの保持枠６９と異なるのは、保持枠６９Ａの後壁７２Ａが、環状の第２凸部７４の径方向内方で、保護パネル１１の裏面１４の外縁部１４ａを受ける環状の座部７２１を設けている点である。
【００８４】
弾性部材１２Ｂの前部１２Ｂ１は、前壁７１に接触する前接触部９１ｂを備えている。弾性部材１２Ｂの後部１２Ｂ２は、後壁７２Ａに接触する後接触部９２ｂとを備えている。前接触部９１ｂは、第１凸部７３によって弾性的に凹まされており、後接触部９２ｂは、第２凸部７４によって弾性的に凹まされている。本実施形態の構成要素において、図２、図５Ｃの実施形態の構成要素と同じ構成要素には、図２、図５Ｃの実施形態の構成要素の参照符号と同じ参照符号を付してある。
【００８５】
本実施形態によれば、保持枠６９Ａの第１凸部７３と第２凸部７４とが、弾性部材１２Ｂを弾性的に凹ませつつ弾性部材１２Ｂを挟持しているので、保持枠６９Ａによって弾性部材１２Ｂを介して保護パネル１１を格段に安定して支持できて耐衝撃性を格段に向上することができ、また、シール性を格段に向上することができる。
本実施形態において、保持枠６９Ａは、図２の実施形態の保持枠６と同じく、ケース２と単一の部材で一体に形成されていてもよいし、また、ケース２と別体に形成されて、ケース２に固定されるものであってもよい。後者の場合、保護パネル１１と弾性部材１２Ｂと保持枠６９Ａとを含む画像表示部保護パネルユニットが形成されることになる。
【００８６】
次いで、図７Ａ、図７Ｂおよび図７Ｃは、それぞれ、図４Ｃの画像表示部保護パネルユニット１０Ｃを用いた画像表示部保護パネル保持構造を示している。
図７Ａの実施形態の画像表示部保護パネル保持構造Ｐ７は、保護パネル１１および弾性部材１２Ｃを有する画像表示部保護パネルユニット１０Ｃと、これを保持する第１保持枠６１と、第１保持枠６１に固定された第２保持枠６２Ｂとを備えている。
【００８７】
本実施形態の第１保持枠６１および第２保持枠６２Ｂは、図５Ｂの第１保持枠６１および第２保持枠６２と同じ構成である。ただし、本実施形態の第１保持枠６１に対する第２保持枠６２Ｂの固定位置が、図５Ｂの実施形態の第１保持枠６１に対する第２保持枠６２の固定位置とは異なっている。これにより、本実施形態の両保持枠６１，６２Ｂの前壁６７，６７間の間隔が、図５Ｂの実施形態の両保持枠６１，６２の前壁６４，６７間の間隔よりも広くなるようにされている。これは、本実施形態の弾性部材１２Ｃの前後方向の厚みが、図５Ｂの実施形態の弾性部材１２Ａの前後方向の厚みよりも厚くされていることによる。
【００８８】
弾性部材１２Ｃの前部１２Ｃ１は、弾性部材１２Ｃの前方に配置された第１保持枠６１の前壁６４に接触する前接触部９１ｃを備えている。弾性部材１２Ｃの後部１２Ｃ２は、弾性部材１２Ｃの後方に配置された第２保持枠６２の前壁６７に接触する後接触部９２ｃを備えている。前接触部９１ｃは、前壁６４の第１凸部６５によって弾性的に凹まされており、後接触部９２ｃは、前壁６７の第２凸部６８によって弾性的に凹まされている。
【００８９】
また、第１凸部６５と第２凸部６８との間に、保護パネル１１の外縁部１１ａが配置されている。保護パネル１１の外縁部１１ａが、弾性部材１２Ｃを介して、両凸部６５，６８間に弾性的に挟持されている。
本実施形態の構成要素において、図２、図５Ｂの実施形態の構成要素と同じ構成要素には、図２、図５Ｂの実施形態の構成要素の参照符号と同じ参照符号を付してある。
【００９０】
本実施形態によれば、第１凸部６５と第２凸部６８とが、弾性部材１２Ｃを弾性的に凹ませつつ弾性部材１２Ｃを挟持しているので、両保持枠６１，６２Ｂによって弾性部材１２Ｃを介して保護パネル１１を格段に安定して支持できて耐衝撃性を格段に向上することができ、また、シール性を格段に向上することができる。
また、保護パネル１１の外縁部１１ａが、第１凸部６５と第２凸部６８との間に配置されており、両凸部６５，６８によって弾性部材１２Ｃを介して弾性的に挟持されているので、保護パネル１１をより安定して支持でき、耐衝撃性を一層向上することができる。特に、両凸部６５，６８が弾性部材１２Ｃの厚みの最も厚い部分を凹ませるようにしており、弾性支持効果が高い。
【００９１】
本実施形態において、両保持枠６１，６２Ｂは、図２の実施形態の保持枠６と同じく、ケース２と単一の部材で一体に形成されていてもよいし、また、ケース２と別体に形成されて、ケース２に固定されるものであってもよい。後者の場合、保護パネル１１と弾性部材１２Ｃと両保持枠６１，６２Ｂとを含む画像表示部保護パネルユニットが形成されることになる。
【００９２】
次いで、図７Ｂの実施形態の画像表示部保護パネル保持構造Ｐ８は、保護パネル１１および弾性部材１２Ｃを有する画像表示部保護パネルユニット１０Ｃと、これを保持する保持枠６９Ｂとを備えている。本実施形態の保持枠６９Ｂが、図５Ｃの保持枠６９と異なるのは、本実施形態の保持枠６９Ｂでは、前壁７１Ｂと後壁７２Ｂとの間隔が、図５Ｃの前壁７１と後壁７２との間隔よりも広くされている点である。その分、本実施形態の保持枠６９Ｂの周側壁７０Ｂの前後方向の長さが、図５Ｃの実施形態の保持枠６９の周側壁７０の前後方向の長さよりも長くされている。
【００９３】
弾性部材１２Ｃの前部１２Ｃ１は、前壁７１Ｂに接触する前接触部９１ｃを備えている。弾性部材１２Ｃの後部１２Ｃ２は、後壁７２Ｂに接触する後接触部９２ｃを備えている。前接触部９１ｃは、第１凸部７３によって弾性的に凹まされており、後接触部９２ｃは、第２凸部７４によって弾性的に凹まされている。弾性部材１２Ｃの外周側部１２Ｃ３は、保持枠６９Ｂの周側壁７０Ｂの内周７０Ｂ１に弾性的に接触する外周接触部９３を有している。
【００９４】
また、第１凸部７３と第２凸部７４との間に、保護パネル１１の外縁部１１ａが配置されている。保護パネル１１ａの外縁部１１ａが、弾性部材１２Ｃを介して、両凸部７３，７４間に弾性的に挟持されている。
本実施形態の構成要素において、図２、図５Ｃの実施形態の構成要素と同じ構成要素には、図２、図５Ｃの実施形態の構成要素の参照符号と同じ参照符号を付してある。
【００９５】
本実施形態によれば、第１凸部７３と第２凸部７４とが、弾性部材１２Ｃを弾性的に凹ませつつ弾性部材１２Ｃを挟持しているので、保持枠６９Ｂによって弾性部材１２Ｃを介して保護パネル１１を格段に安定して支持できて耐衝撃性を格段に向上することができ、また、シール性を格段に向上することができる。しかも、弾性部材１２Ｃの外周側部１２Ｃ３の外周接触部９３が、保持枠６９Ｂの周側壁７０Ｂの内周７０Ｂ１に弾性的に接触しているので、耐衝撃性およびシール性を一層向上することができる。
【００９６】
また、保護パネル１１の外縁部１１ａが、第１凸部７３と第２凸部７４との間に配置されており、両凸部７３，７４によって弾性部材１２Ｃを介して弾性的に挟持されているので、保護パネル１１をより安定して支持でき、耐衝撃性を一層向上することができる。特に、両凸部７３，７４が弾性部材１２Ｃの厚みの最も厚い部分を凹ませるようにしており、弾性支持効果が高い。
【００９７】
本実施形態において、保持枠６９Ｂは、図２の実施形態の保持枠６と同じく、ケース２と単一の部材で一体に形成されていてもよいし、また、ケース２と別体に形成されて、ケース２に固定されるものであってもよい。後者の場合、保護パネル１１と弾性部材１２Ｃと保持枠６９Ｂとを含む画像表示部保護パネルユニットが形成されることになる。
次いで、図７Ｃの実施形態の画像表示部保護パネル保持構造Ｐ９は、保護パネル１１および弾性部材１２Ｃを有する画像表示部保護パネルユニット１０Ｃと、これを保持する環状の保持枠７５とを備えている。
【００９８】
保持枠７５は、四角環状をなす周側壁７６と、周側壁７６の後部から内側方へ延びる環状の後壁７７とを備えている。周側壁７６の内周７６ａには、例えば断面凹湾曲状の環状凹部７８が形成されている。弾性部材１２Ｃの主に外周側部１２Ｃが環状凹部７８に嵌まり込んで、弾性部材１２Ｃが保持枠７５に保持されている。
弾性部材１２Ｃの前部１２Ｃ１は、外周側部１２Ｃ３寄りの部分に、周側壁７６の環状凹部７８に面接触する前接触部９１ｄを有している。弾性部材１２Ｃの後部１２Ｃ２は、後壁７７の前面７７ａに弾性的に接触する後接触部９２ｄを有している。弾性部材１２Ｃの外周側部１２Ｃ３は、周側壁７６の環状凹部７８に弾性的に接触する外周接触部９３ｄを有している。前接触部９１ｄと外周接触部９３ｄとは、環状凹部７８に対して連続的に接触しており、シール効果が高められている。
【００９９】
本実施形態によれば、保護パネル１１に複数の接合部（内周接合部２０，前接合部２１ａ，後接合部２４ａ）で接合された弾性部材１２Ｃが、複数の接触部（前接触部９１ｄ、後接触部９２ｄ、外周接触部９３ｄ）で保持枠７５に弾性的に接触する。したがって、保持枠７５によって弾性部材１２Ｃを介して保護パネル１１を格段に安定して支持できて耐衝撃性を格段に向上することができ、また、シール性を格段に向上することができる。
【０１００】
しかも、組立時において、弾性部材１２Ｃを保持枠７５の環状凹部７８に単に嵌め込むのみでよいので、組立が容易である。
本実施形態において、保持枠７５は、図２の実施形態の保持枠６と同じく、ケース２と単一の部材で一体に形成されていてもよいし、また、ケース２と別体に形成されて、ケース２に固定されるものであってもよい。後者の場合、保護パネル１１と弾性部材１２Ｃと保持枠７５とを含む画像表示部保護パネルユニットが形成されることになる。
【０１０１】
次いで、図８Ａ、図８Ｂおよび図８Ｃは、それぞれ、図４Ｄの画像表示部保護パネルユニット４Ｄを用いた画像表示部保護パネル保持構造を示している。
図８Ａの実施形態の画像表示部保護パネル保持構造Ｐ１０は、保護パネル１１および弾性部材１２Ｄを有する画像表示部保護パネルユニット１０Ｄと、これを保持する保持枠６０とを備えている。図２の実施形態では、保護パネル１１の裏面１４の外縁部１４ａと保持枠６の座部７とが接触していたが、本実施の形態では、保護パネル１１の裏面１４の外縁部１４ａと保持枠６０の座部７との間に隙間Ｓ１が形成されている。
【０１０２】
弾性部材１２Ｄの後部１２Ｄ２は、保持枠６０の座部７に弾性的に接触する後接触部２２を有している。弾性部材１２Ｄの外周側部１２Ｄ３は、保持枠６０の環状凸部８の内周側面８ａに弾性的に接触する外周接触部２３を有している。
本実施形態によれば、保護パネル１１に複数の接合部（内周接合部２０，前接合部２１ａ，後接合部２４ａ）で接合された断面矩形で前後に厚肉の弾性部材１２Ｄが、複数の接触部（後接触部２２と外周接触部２３）で保持枠６０に弾性的に接触する。したがって、保持枠６０によって弾性部材１２Ｄを介して保護パネル１１を格段に安定して支持できて耐衝撃性を格段に向上することができ、また、シール性を格段に向上することができる。特に、後接触部２２も外周接触部２３も、面接触するので、シール性を一層向上することができる。
【０１０３】
次いで、図８Ｂの実施形態の画像表示部保護パネル保持構造Ｐ１１は、保護パネル１１および弾性部材１２Ｄを有する画像表示部保護パネルユニット１０Ｄと、これを保持する第１保持枠６１と、第１保持枠６１に固定された第２保持枠６２Ｂとを備えている。本実施形態の第１保持枠６１および第２保持枠６２Ｂは、図７Ａの第１保持枠６１および第２保持枠６２Ｂと同じ構成である。
【０１０４】
弾性部材１２Ｄの前部１２Ｄ１に設けられた前接触部９１ｅが、第１凸部６５によって弾性的に凹まされている。弾性部材１２Ｄの後部１２Ｄ２に設けられた後接触部９２ｅが、第２凸部６８によって弾性的に凹まされている。本実施形態の構成要素において、図２、図７Ａの実施形態の構成要素と同じ構成要素には、図２、図７Ａの実施形態の構成要素の参照符号と同じ参照符号を付してある。
【０１０５】
本実施形態によれば、図７Ａの実施形態と同じ作用効果を奏することができる。しかも、弾性部材１２Ｄを断面矩形として、肉量を多くしているので、衝撃吸収効果が高く、また、両保持枠６１，６２Ｂにより区画される環状空間内に占める、弾性部材１２Ｄの容積割合が高いので、シール性を高くすることができる。
本実施形態において、両保持枠６１，６２Ｂは、図２の実施形態の保持枠６と同じく、ケース２と単一の部材で一体に形成されていてもよいし、また、ケース２と別体に形成されて、ケース２に固定されるものであってもよい。後者の場合、保護パネル１１と弾性部材１２Ｄと両保持枠６１，６２Ｂとを含む画像表示部保護パネルユニットが形成されることになる。
【０１０６】
次いで、図８Ｃの実施形態の画像表示部保護パネル保持構造Ｐ１２は、保護パネル１１および弾性部材１２Ｄを有する画像表示部保護パネルユニット１０Ｄと、これを保持する保持枠６９Ｂとを備えている。本実施形態の保持枠６９Ｂの構成は、図７Ｂの実施の形態の保持枠６９Ｂと同じである。
弾性部材１２Ｄの前部１２Ｄ１に設けられた前接触部９１ｅが、第１凸部７３によって弾性的に凹まされている。また、弾性部材１２Ｄの後部１２Ｄ２に設けられた後接触部９２ｅが、第２凸部７４によって弾性的に凹まされている。本実施形態の構成要素において、図２、図７Ｂの実施形態の構成要素と同じ構成要素には、図２、図７Ｂの実施形態の構成要素の参照符号と同じ参照符号を付してある。
【０１０７】
本実施形態によれば、図８Ｂの実施形態と同じく、弾性部材１２Ｄを断面矩形として、肉量を多くしているので、衝撃吸収効果が高く、また、保持枠６９Ｂにより区画される環状空間内に占める、弾性部材１２Ｄの容積割合が高いので、シール性を高くすることができる。しかも、単一の保持枠６９Ｂを用いるので、構造を簡素化することができる。
本実施形態において、保持枠６９Ｂは、図２の実施形態の保持枠６と同じく、ケース２と単一の部材で一体に形成されていてもよいし、また、ケース２と別体に形成されて、ケース２に固定されるものであってもよい。後者の場合、保護パネル１１と弾性部材１２Ｄと保持枠６９Ｂとを含む画像表示部保護パネルユニットが形成されることになる。
【０１０８】
なお、図５Ｂ、図６Ｂ、図７Ａおよび図８Ｂの実施形態において、第１凸部６５の外側面および第２凸部６６の外側面は、前後方向に延びて、対応する弾性部材１２Ａ、１２Ｂ、１２Ｃおよび１２Ｄの前面および後面にそれぞれ食い込んでいる。また、図５Ｃ、図６Ｃ、図７Ｂ、図８Ｃの実施形態において、第１凸部７３の外側面および第２凸部７４の外側面は、前後方向に延びて、対応する弾性部材１２Ａ、１２Ｂ、１２Ｃおよび１２Ｄの前面および後面にそれぞれ食い込んでいる。これにより、各弾性部材１２Ａ、１２Ｂ、１２Ｃおよび１２Ｄが、内側（保護パネル１１）側へ、ずれ難くなっている。その結果、保護パネル１１が、ずれ難くなっている。
【０１０９】
次いで、図９Ａは本発明のさらに別の実施形態の画像表示部保護パネルユニット１０Ｅの主要部の断面図であり、図９Ｂは、図９Ａの画像表示部保護パネルユニット１０Ｅが適用された画像表示部保護パネル保持構造Ｑ１の主要部の断面図である。
図９Ａに示すように、本画像表示部保護パネルユニット１０Ｅは、保護パネル１１と、保護パネル１１を取り囲む環状の樹脂製の保持枠７９と、保護パネル１１および保持枠７９に化学結合により接合された弾性部材１２Ｅとを備えている。保持枠７９は、前壁８０と、前壁８０の外縁に湾曲部８１を介して接続され、後斜め側方へ延びる傾斜側壁８２とを備えている。
【０１１０】
弾性部材１２Ｅは、保護パネル１１の外周側面１５に化学結合により接合された内周接合部８３と、保持枠７９の前壁８０の内周側面８４に化学結合により接合された外周接合部８５と、保護パネル１１の裏面１４の外縁部１４ａに化学結合により接合された第１後接合部８６と、保持枠７９の前壁８０の裏面８７の内縁部８７ａに化学結合により接合された第２後接合部８８とを備えている。
【０１１１】
弾性部材１２Ｅは、保護パネル１１の外周側面１５と保持枠７９の前壁８０の内周側面８４との間に介在した環状の前部２０１と、前部２０１の後部に連続した環状板状の後部２０２とを備えている。後部２０２は、保護パネル１１の裏面１４の外縁部１４ａを受ける環状の第１受け部２０３と、保持枠７９の前壁８０の裏面８７の内縁部８７ａを受ける環状の第２受け部２０４とを備えている。
【０１１２】
前部２０１は、内周接合部８３が形成された内周側部２０１ａと、外周接合部８５が形成された外周側部２０１ｂとを備えている。第１受け部２０３の前面に、第１後接合部８６が設けられ、第２受け部２０４の前面に、第２後接合部８８が設けられている。
弾性部材１２Ｅは、保護パネル１１および保持枠７９をインサートして形成されたゴム（例えばシリコーンゴム）により形成されている。
【０１１３】
図９Ｂに示すように、画像表示部保護パネル保持構造Ｑ１は、画像表示部保護パネルユニット１０Ｅと、画像表示部保護パネルユニット１０Ｅを保持する保持部材としての、電子機器１のケース３２０とを備えている。
ケース３２０の前面３２１には、前方へ突出する環状凸部３２２が形成されている。環状凸部３２２の例えば平坦な頂部３２３に、弾性部材１２Ｅの後部２０２の裏面に設けられた後接触部２０２ａが弾性的に接触している。すなわち、弾性部材１２Ｅは、環状凸部３２２の頂部３２３によって受けられている。図示していないが、保持枠７９とケース３２０とはビス止め等により固定されている。
【０１１４】
本実施形態の画像表示部保護パネルユニット１０Ｅによれば、弾性部材１２Ｅが、ガラス板製の保護パネル１１の外周側面１５および樹脂製の保持枠７９の内周側面（前壁８０の内周側面８４）に化学結合により接合されているので、保護パネル１１と弾性部材１２Ｅとの結合力を極めて高くできる。したがって、長期の使用で、ユーザが、保護パネル１１の操作面（前面１３）を繰り返し押圧操作した場合でも、保護パネル１１と弾性部材１２Ｅとの離脱や弾性部材１２Ｅと保持枠７９との離脱を確実に抑制できて耐久性に優れている。
【０１１５】
また、ユーザの不注意などによって電子機器１が落下した場合でも、保護パネル１１の外周側面１５に伝わる衝撃を保持枠７９を介して弾性部材１２Ｅによって確実に緩和できるので、比較的衝撃に弱い傾向にあるガラス板製の保護パネル１１の外周側面１５の損傷を確実に防止できて耐衝撃性に優れている。
さらに、保護パネル１１および保持枠７９に弾性部材１２Ｅを接合により一体化して画像表示部保護パネルユニット１０Ｅを構成しているので、部品点数を少なくでき、これにより、電子機器１の構造を簡素化することができる。
【０１１６】
また、弾性部材１２Ｅが、保護パネル１１および保持枠７９をインサートして成形されたゴムを含んでいる。例えば、予め金型内セットされた保護パネル１１の外周側面１５および保持枠７９の内周（前壁８０の内周側面８４）にプライマーを塗布した状態で、未硬化のゴム材料を射出することによって、弾性部材１２Ｅを保護パネル１１および保持枠７９の両者に容易に且つ強く結合させて、画像表示部保護パネルユニット１０Ｅとして一体化することができる。また、成形されたゴムが、保護パネル１１の外周側面１５および保持枠７９の内周（前壁８０の内周側面８４）に、隙間無く接合するので、保護パネル１１と保持枠７９との間の防水性、防塵性を極めて高くすることができる。
【０１１７】
また、弾性部材１２Ｅの前部２０１が、内周接合部８３と外周接合部８５とを含み、弾性部材１２Ｅの後部２０２が、保護パネル１１の裏面１４の外縁部１４ａに接合された第１後接合部８６と、保持枠７９の裏面の外縁部（前壁８０の裏面８７の内縁部８７ａ）に接合された第２後接合部８８とを含むので、保護パネル１１および保持枠７９に対する弾性部材１２Ｅの結合力を非常に高くできる。したがって、耐久性、防水性、防塵性をより向上することができる。
【０１１８】
また、図９Ｂに示す画像表示部保護パネル保持構造Ｑ１によれば、画像表示部保護パネルユニット１０Ｅと同じ作用効果を奏することができる。また、画像表示部保護パネルユニット１０Ｅの弾性部材１２Ｅが、保持部材（ケース３２０）に弾性的に接触する接触部（後部２０２の後接触部２０２ａ）を有しているので、耐衝撃性をより向上でき、また、防水性、防塵性をより向上することができる。
【０１１９】
次いで、図１０は本発明のさらに別の実施形態の画像表示部保護パネルユニット１０Ｆの主要部の断面図であり、図１１Ａ、図１１Ｂおよび図１１Ｃは、それぞれ、図１０の画像表示部保護パネルユニット１０Ｆが適用された画像表示部保護パネル保持構造Ｑ２、Ｑ３、Ｑ４の主要部の断面図である。
図１０を参照して、本実施形態の画像表示部保護パネルユニット１０Ｆが、図９Ａの実施形態の画像表示部保護パネルユニット１０Ｅと異なるのは、弾性部材１２Ｆが、その後部２０２から後方へ延設された環状の延設凸部２５０を有している点である。延設凸部２５０は、後部２０２から延びる環状の側壁２５１と、側壁２５１の先端に連続する環状の断面丸形部２５２とを備えている。
【０１２０】
図１１Ａの画像表示部保護パネル保持構造Ｑ２は、画像表示部保護パネルユニット１０Ｆと、画像表示部保護パネルユニット１０Ｆを保持する保持部材としての、電子機器１のケース４２０とを備えている。ケース４２０の前面４２１には、それぞれ前方へ突出する第１環状凸部４２２と第２環状凸部４２３とが設けられている。第２環状凸部４２３は、第１環状凸部４２２の径方向外方に配置されている。両環状凸部４２２，４２３との間に環状溝４２４が区画されている。
【０１２１】
弾性部材１２Ｆは、延設凸部２５０の後部（断面丸形部２５２の後部）に設けられ、環状溝４２４の溝底４２４ａに弾性的に接触する後接触部２５３と、延設凸部２５０の内周（断面丸形部２５２の内周）に設けられ、第１環状凸部４２２の側面４２２ａに弾性的に接触する内周接触部２５４と、延設凸部２５０の外周（断面丸形部２５２の外周）に設けられ、第２環状凸部４２３の側面４２３ａに弾性的に接触する外周接触部２５５とを備えている。
【０１２２】
本実施形態の画像表示部保護パネルユニット１０Ｆによれば、図９Ａの実施形態の画像表示部保護パネルユニット１０Ｅと同じ作用効果を奏することができる。
また、図１１Ａの画像表示部保護パネル保持構造Ｑ２によれば、弾性部材１２Ｆの延設凸部２５０の後部に設けられた後接触部２５３が、ケース４２０（環状溝４２４の溝底４２４ａ）に弾性的に接触しているので、前方からの衝撃を緩和して、保護パネル１１を保護することができる。また、後接触部２５３によって防水性、防塵性を向上することができる。
【０１２３】
また、弾性部材１２Ｆの延設凸部２５０に、内周接触部２５４および外周接触部２５５が設けられて、ケース４２０に弾性的に接触している。具体的には、内周接触部２５４が第１環状凸部４２２の側面４２２ａに接触し、外周接触部２５５が、第２環状凸部４２３の側面４２３ａに接触している。したがって、側方からの衝撃を緩和して、保護パネル１１を確実に保護することができる。また、外周接触部２５５と、後接触部２５３と、内周接触部２５４とによって、複数段（本実施形態では３段）のシールを達成でき、防水性、防塵性を格段に向上することができる。
【０１２４】
次いで、図１１Ｂの実施形態の画像表示部保護パネル保持構造Ｑ３が、図１１Ａの実施形態の画像表示部保護パネル保持構造Ｑ２と異なるのは、下記である。すなわち、図１１Ｂの実施形態では、保持部材としてのケース５２０が、その前面５２１から突出する唯一の環状凸部５２２を有している。弾性部材１２Ｆは、保持部材としてのケース５２０の前面５２１に弾性的に接触する後接触部２５３と、ケース５２０の前面５２１から突出する環状凸部５２２の側面５２２ａに弾性的に接触する内周接触部２５４とを有しているが、外周接触部を有していない。
【０１２５】
また、図１１Ｂの画像表示部保護パネル保持構造Ｑ３によれば、図１１Ａの実施形態と同じく、弾性部材１２Ｆの後接触部２５３が、ケース５２０の前面５２１に弾性的に接触しているので、前方からの衝撃を緩和して、保護パネル１１を保護することができる。また、後接触部２５３によって防水性、防塵性を向上することができる。
また、弾性部材１２Ｆの延設凸部２５０に設けられた内周接触部２５４が、ケース５２０（環状凸部５２２の側面５２２ａ）に弾性的に接触している。したがって、側方からの衝撃を緩和して、保護パネル１１を確実に保護することができる。また、後接触部２５３と、内周接触部２５４とによって、複数段（２段）のシールを達成でき、防水性、防塵性を格段に向上することができる。
【０１２６】
次いで、図１１Ｃの画像表示部保護パネル保持構造Ｑ４が、図１１Ｂの実施形態の画像表示部保護パネル保持構造Ｑ３と異なるのは、下記である。すなわち、ケース５２０Ａの前面５２１が、環状凸部を有していない。弾性部材１２Ｆが前面５２１と弾性的に接触する後接触部２５３のみを有し、内周接触部や外周接触部を有していない。本実施形態の画像表示部保護パネル保持構造Ｑ４によれば、弾性部材１２Ｆの後接触部２５３が、ケース５２０Ａの前面５２１に弾性的に接触しているので、前方からの衝撃を緩和して、保護パネル１１を保護することができる。また、後接触部２５３によって防水性、防塵性を向上することができる。
【０１２７】
次いで、図１２は本発明のさらに別の実施形態の画像表示部保護パネルユニット１０Ｇの主要部の断面図であり、図１３Ａ、図１３Ｂおよび図１３Ｃのそれぞれは、図１２の画像表示部保護パネルユニット１０Ｇが適用された画像表示部保護パネル保持構造Ｑ５、Ｑ６、Ｑ７の主要部の断面図である。
図１２を参照して、本実施形態の画像表示部保護パネルユニット１０Ｇが、図１０の実施形態の画像表示部保護パネルユニット１０Ｆと異なるのは、下記である。すなわち、弾性部材１２Ｇの四角環状の延設凸部３５０が、平坦な外周側面３５１と、径方向内方へ突出する環状の湾曲凸部３５２を有する内周側面３５３と、平坦な後端面３５４とを有している。
【０１２８】
図１３Ａの実施形態の画像表示部保護パネル保持構造Ｑ５は、図１２の画像表示部保護パネルユニット１０Ｆと、図１１Ａのケース４２０と同じケース４２０とを備えている。本実施形態では、弾性凸部１２Ｇの延設凸部３５０の平坦な後端面３５４が、ケース４２０の環状溝４２４の溝底４２４ａに弾性的に接触して平坦な後接触部３５５を形成している。
【０１２９】
また、弾性部材１２Ｇの延設凸部３５０の外周側面３５１と、ケース４２０の第２環状凸部４２３の側面４２３ａとの間に隙間が形成されており、外周接触部の構成は廃止されている。また、延設凸部３５０の湾曲凸部３５２は、ケース４２０の第１環状凸部４２２の側面４２２ａに弾性的に接触する内周接触部３５６を形成している。
図１２の画像表示部保護パネルユニット１０Ｇによれば、図１０の画像表示部保護パネルユニット１０Ｆと同じ作用効果を奏することができる。また、図１３Ａの画像表示部保護パネル保持構造Ｑ５では、弾性部材１２Ｇの延設凸部３５０の後部に設けられた後接触部３５５が、ケース４２０（環状溝４２４の溝底４２４ａ）に弾性的に接触しているので、前方からの衝撃を緩和して、保護パネル１１を保護することができる。また、後接触部３５５によって防水性、防塵性を向上することができる。特に、後接触部３５５が平坦な後端面３５４に形成されているので、シール面積を増加させて、防水性、防塵性を向上することができる。
【０１３０】
また、弾性部材１２Ｇの延設凸部３５０の内周接触部３５６が第１環状凸部４２２の側面４２２ａに接触している。したがって、側方からの衝撃を緩和して、保護パネル１１を確実に保護することができる。また、後接触部３５５と、内周接触部３５６とによって、複数段（２段）のシールを達成でき、防水性、防塵性を格段に向上することができる。
また、ケース４２０の第２環状凸部４２３が、弾性部材１２Ｇの延設凸部３５０の外周側面３５１および弾性部材１２Ｇの第２受け部２０４に近接して、ラビリンス構造を呈するので、シール機能の向上に寄与する。
【０１３１】
次いで、図１３Ｂの実施形態の画像表示部保護パネル保持構造Ｑ６は、図１２の画像表示部保護パネルユニット１０Ｇと、図１１Ａのケース５２０と同じケース５２０とを備えている。本実施形態において、第２環状凸部４２３によるラビリンス作用を除いて、図１３Ａの実施形態と同じ作用効果を奏することができる。
次いで、図１３Ｃの画像表示部保護パネル保持構造Ｑ７は、図１２の画像表示部保護パネルユニット１０Ｇと、図１１Ｃのケース５２０Ａと同じケース５２０Ａとを備えている。本実施形態においても、図１１Ｃの実施形態と同じ作用効果を奏することができる。また、平坦な後端面３５４に形成された平坦な後接触部３５５によって、シール面積を増加させて、防水性、防塵性を向上することができる。
【０１３２】
次いで、図１４は、本発明のさらに別の実施形態の画像表示部保護パネルユニット１０Ｈの主要部の断面図であり、図１５Ａ、図１５Ｂ、図１５Ｃおよび図１５Ｄは、それぞれ図１４の画像表示部保護パネルユニット１０Ｈが適用された画像表示部保護パネル保持構造Ｑ８、Ｑ９、Ｑ１０、Ｑ１１の主要部の断面図である。
図１４を参照して、画像表示部保護パネルユニット１０Ｈが、図９Ａの画像表示部保護パネルユニット１０Ｅと異なるのは、下記である。すなわち、画像表示部保護パネルユニット１０Ｈの弾性部材１２Ｈが、アングル状に折り曲げられた断面を有する環状の延設凸部４５０を有している。延設凸部４５０は、後部２０２から後方へ延びる環状の側壁４５１と、環状の側壁４５１の後端から湾曲部４５２を介して連続し外側方へ延びる環状フランジ４５３とを備えている。環状フランジ４５３の外端には、環状をなす断面丸形部４５４が形成されている。断面丸形部４５４の断面の直径は、環状フランジ４５３の厚みよりも大きくされている。
【０１３３】
図１５Ａを参照して、画像表示部保護パネル保持構造Ｑ８は、図１４の画像表示部保護パネルユニット１０Ｈと、画像表示部保護パネルユニット１０Ｈを保持する保持部材としての、電子機器１のケース６２０とを備えている。ケース６２０の前面６２１には、前斜め内側方に突出する第１環状凸部６２２と、前斜め外側方に突出する第２環状凸部６２３とを備えている。第２環状凸部６２３は、第１環状凸部６２２よりも径方向外方に配置されている。第１環状凸部６２２と第２環状凸部６２３との間に、環状溝６２４が区画されている。
【０１３４】
弾性部材１２Ｈの延設凸部４５０の後部（断面丸形部４５４の後部に相当）の一部が、環状溝６２４の溝底６２４ａに弾性的に接触して後接触部４５５を形成している。また、延設凸部４５０の湾曲部４５２の一部が、第１環状凸部６２２の傾斜状の側面６２２ａ（環状溝６２４の一方の内壁面に相当）に弾性的に接触して内周接触部４５６を形成している。また、延設凸部４５０の断面丸形部４５４の外縁部の一部が、第２環状凸部６２３の傾斜状の側面６２３ａ（環状溝６２４の他方の内壁面に相当）に弾性的に接触して外周接触部４５７を形成している。
【０１３５】
本実施形態の画像表示部保護パネルユニット１０Ｈによれば、図９Ａの画像表示部保護パネルユニット９Ａと同じ作用効果を奏することができる。また、図１５Ａの画像表示部保護パネル保持構造Ｑ８によれば、弾性部材１２Ｈの延設凸部４５０の後部（断面丸形部４５４の後部に相当）に設けられた後接触部４５５が、ケース６２０（環状溝６２４の溝底６２４ａ）に弾性的に接触しているので、前方からの衝撃を緩和して、保護パネル１１を保護することができる。また、後接触部４５５によって防水性、防塵性を向上することができる。
【０１３６】
また、弾性部材１２Ｈの延設凸部４５０の内周接触部４５６が、第１環状凸部６２２の側面６２２ａに接触し、延設凸部４５０の外周接触部４５７が、第２環状凸部６２３の側面６２３ａに接触している。したがって、側方からの衝撃を緩和して、保護パネル１１を確実に保護することができる。
特に、内周接触部４５６および外周接触部４５７が、対応する環状凸部６２２，６２３の傾斜状の側面６２２ａ，６２３ａに弾性的に接触しているので、内周接触部４５６および外周接触部４５７は、前記側方からの衝撃の緩和とともに、保護パネル１１に負荷される前方からの衝撃も緩和することができる。この点からも耐衝撃性が高い。
【０１３７】
また、外周接触部４５７と、後接触部４５５と、内周接触部４５６とによって、複数段（本実施形態では３段）のシールを達成でき、防水性、防塵性を格段に向上することができる。
次いで、図１５Ｂの実施形態の画像表示部保護パネル保持構造Ｑ９が、図１５Ａの画像表示部保護パネル保持構造Ｑ８と異なるのは下記である。すなわち、保持部材としてのケース７２０の前面７２３に、図１５Ａの第１環状凸部６２２に相当する唯一の環状凸部７２２が設けられている。弾性部材１２Ｈは、ケース７２０の前面７２３に弾性的に接触する後接触部４５５と、環状凸部７２２の傾斜状の側面７２２ａに弾性的に接触する内周接触部４５６とを有しているが、外周接触部を有していない。
【０１３８】
また、図１５Ｂの画像表示部保護パネル保持構造Ｑ９によれば、図１５Ａの実施形態と同じく、弾性部材１２Ｈの後接触部４５５が、ケース７２０の前面７２３に弾性的に接触しているので、前方からの衝撃を緩和して、保護パネル１１を保護することができる。また、後接触部４５５によって防水性、防塵性を向上することができる。
また、弾性部材１２Ｆの延設凸部４５０に設けられた内周接触部４５６が、ケース７２０（環状凸部７２２の側面７２２ａ）に弾性的に接触している。したがって、側方からの衝撃を緩和して、保護パネル１１を確実に保護することができる。また、後接触部４５５と、内周接触部４５６とによって、複数段（２段）のシールを達成でき、防水性、防塵性を格段に向上することができる。
【０１３９】
次いで、図１５Ｃの画像表示部保護パネル保持構造Ｑ１０が、図１５Ａの画像表示部保護パネル保持構造Ｑ８と異なるのは、下記である。すなわち、画像表示部保護パネル保持構造Ｑ１０のケース６２０Ｂでは、環状溝６２４の内面に相当する、第１環状凸部６２２の側面６２２ｂと、環状溝６２４の溝底６２４ａと、第２環状凸部６２３の側面６２３ｂとが、連続した凹湾曲面状に形成されている。本実施形態においても、図１５Ａの実施形態と同じ作用効果を奏することができる。
【０１４０】
次いで、図１５Ｄの画像表示部保護パネル保持構造Ｑ１１が、図１５Ａの画像表示部保護パネル保持構造Ｑ８と異なるのは、下記である。すなわち、ケース６２０Ｃの前面６２１が、環状凸部を有していない。弾性部材１２Ｈが、前面６２１と弾性的に接触する後接触部４５５のみを有し、内周接触部や外周接触部を有していない。本実施形態によれば、弾性部材１２Ｈの後接触部４５５が、ケース６２０Ｃの前面６２１に弾性的に接触しているので、前方からの衝撃を緩和して、保護パネル１１を保護することができる。また、後接触部４５５によって防水性、防塵性を向上することができる。
【０１４１】
なお、本発明は前記実施形態に限定されるものではなく、例えば、電子機器１は、携帯電話、携帯情報端末、タブレットパソコン等のモバイルコンピュータ、デジタルカメラ、ビデオカメラ、電子ブック、ゲーム機、カーナビゲーション等の、タッチパネル式の電子機器であればよい。
また、各前記実施形態において、保護パネル１１に着色部１７が設けられていても、いなくてもよい。保護パネル１１に着色部１７が設けられている場合、弾性部材が透明部１６を避けて着色部１７のみに化学結合により接合されていてもよい。
【符号の説明】
【０１４２】
１…電子機器
２…ケース（保持部材）
３…画像表示部
４  タッチパネル装置
１０；１０Ａ；１０Ｂ；１０Ｃ；１０Ｄ；１０Ｅ；１０Ｆ；１０Ｇ；１０Ｈ…画像表示部保護パネルユニット
１１…保護パネル
１１ａ…（保護パネルの）外縁部
１２；１２Ａ；１２Ｂ；１２Ｃ；１２Ｄ；１２Ｅ；１２Ｆ；１２Ｇ；１２Ｈ…弾性部材
１２Ａ１；１２Ｂ１；１２Ｃ１；１２Ｄ１…前部
１２Ａ２；１２Ｂ２；１２Ｃ２；１２Ｄ２…後部
１２Ａ３；１２Ｂ３；１２Ｃ３；１２Ｅ３…外周側部
１３…（保護パネルの）表面
１３ａ…（表面の）外縁部
１４…（保護パネルの）裏面
１４ａ…（裏面の）外周縁部
１５…（保護パネルの）外周側面
１６…透明部
１７…着色部
２０…内周接合部
２１…前覆い部
２１ａ…前接合部
２２…後接触部
２３…外周接触部
２４…後覆い部
２４ａ…後接合部
６０…保持枠
６１…第１保持枠
６２；６２Ａ；６２Ｂ…第２保持枠
６５…第１凸部
６８…第２凸部
６９；６９Ａ；６９Ｂ…保持枠
７３…第１凸部
７４…第２凸部
７５…保持枠
７８…環状凹部
７９…保持枠
８３…内周接合部
８５…外周接合部
８６…第１後接合部
８８…第２後接合部
９１ａ；９１ｂ；９１ｃ；９１ｄ；９１ｅ…前接触部
９２ａ；９２ｂ；９２ｃ；９２ｄ；９２ｅ…後接触部
９３；９３ｄ…外周接触部
２０１…前部
２０２…後部
２０２ａ…後接触部
２５０…延設凸部
２５２…断面丸形部
２５３…後接触部
２５４…内周接触部
２５５…外周接触部
３２０…ケース（保持部材）
３２２…環状凸部
３２３…頂部
３５０…延設凸部
３５５…後接触部
３５６…内周接触部
４２０…ケース（保持部材）
４２２…第１環状凸部
４２３…第２環状凸部
４２４…環状溝
４５０…延設凸部
４５１…側壁
４５２…湾曲部
４５３…環状フランジ
４５４…断面丸形部
４５５…後接触部
４５６…内周接触部
４５７…外周接触部
５２０；５２０Ａ…ケース（保持部材）
５２２…環状凸部
６２０；６２０Ｂ；６２０Ｃ…ケース（保持部材）
６２２…第１環状凸部
６２３…第２環状凸部
６２４…環状溝
７２０…ケース（保持部材）
７２２…環状凸部
Ｐ１〜Ｐ１２…画像表示部保護パネル保持構造
Ｑ１〜Ｑ１１…画像表示部保護パネル保持構造
【図１Ａ】
2012115140.tif 000003
【図１Ｂ】
2012115140.tif 000004
【図２】
2012115140.tif 000005
【図３Ａ】
2012115140.tif 000006
【図３Ｂ】
2012115140.tif 000007
【図４Ａ】
2012115140.tif 000008
【図４Ｂ】
2012115140.tif 000009
【図４Ｃ】
2012115140.tif 000010
【図４Ｄ】
2012115140.tif 000011
【図５Ａ】
2012115140.tif 000012
【図５Ｂ】
2012115140.tif 000013
【図５Ｃ】
2012115140.tif 000014
【図６Ａ】
2012115140.tif 000015
【図６Ｂ】
2012115140.tif 000016
【図６Ｃ】
2012115140.tif 000017
【図７Ａ】
2012115140.tif 000018
【図７Ｂ】
2012115140.tif 000019
【図７Ｃ】
2012115140.tif 000020
【図８Ａ】
2012115140.tif 000021
【図８Ｂ】
2012115140.tif 000022
【図８Ｃ】
2012115140.tif 000023
【図９Ａ】
2012115140.tif 000024
【図９Ｂ】
2012115140.tif 000025
【図１０】
2012115140.tif 000026
【図１１Ａ】
2012115140.tif 000027
【図１１Ｂ】
2012115140.tif 000028
【図１１Ｃ】
2012115140.tif 000029
【図１２】
2012115140.tif 000030
【図１３Ａ】
2012115140.tif 000031
【図１３Ｂ】
2012115140.tif 000032
【図１３Ｃ】
2012115140.tif 000033
【図１４】
2012115140.tif 000034
【図１５Ａ】
2012115140.tif 000035
【図１５Ｂ】
2012115140.tif 000036
【図１５Ｃ】
2012115140.tif 000037
【図１５Ｄ】
2012115140.tif 000038
【国際調査報告】
2012115140.tif 000039
2012115140.tif 000040
2012115140.tif 000041
2012115140.tif 000042